(57)【要約】【課題】ハンガーのフック部に、物干竿に対しての係着と、物干綱に対しての係着とが、随時、所望に選択して行える係止手段を装備せしめる。【解決手段】ハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して配位し、そのアーム４の下端側をフック部１０の基端部１０ａに固定し、上端側をフック部１０の上周縁側の上方に突出させ、フック部１０には、それの上周縁部に、外周側に突出する凹部Ａを、前記アーム４の前述遊端部１０ｂに向かう側面に対し近接する位置を占めるように配位して装設する。【選択図】　　　　図７
2004065785.tif 000002
【特許請求の範囲】
【請求項１】
下向きの彎曲するかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して、そのアーム４とフック部１０の遊端側の内周面との間が通常の物干竿Ｐの外径よりも少し狭くなるように配位し、そのアーム４の下端側をフック部１０の基端部１０ａに固定し、上端側をフック部１０の上周縁側の上方に突出させ、フック部１０には、それの上周縁部に、そのフック部１０の内周面に連続して外周側に突出する凹部Ａを、それの内周面で前記フック部１０の遊端部１０ｂによる側の内周面ａが、前記アーム４の前述遊端部１０ｂに向かう側面に対し近接する位置を占めるように配位して装設することを特徴とする係止装置付きの物干用のハンガー。
【請求項２】
下向きの彎曲するかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して、そのアーム４とフック部１０の遊端部１０ｂの内周面との間が通常の物干竿Ｐの外径よりも少し狭くなるように配位し、そのアーム４の下端側をフック部１０の基端部１０ａに固定し、上端側をフック部１０の上周縁側の上方に突出させるとともに、その突出部に、フック部１０の上周面に沿いそのフック部１０の遊端部１０ｂに向け屈曲して延出する誘導部４１を装設し、フック部１０には、それの上周縁部に、内周側に嵌入する凹部Ａを、前記アーム４の前述遊端部１０ｂに向かう側面に対し近接する位置を占めるように配位して装設することを特徴とする係止装置付きの物干用のハンガー。
【請求項３】
ハンガー１のフック部１０と主体部１１とを、所定長さに切断したバネ性を具備する金属線材の一端側と中間部位との屈曲成形により形成し、その金属線材の他端側によりアーム４を成形することを特徴とする請求項１または請求項２記載の係止装置付きの物干用のハンガー。
【請求項４】
フック部１０の上周縁部の前後の側面に、下端側をフック部１０の基端部１０ａに固定したアーム４の上端側に衝合してそのアーム４の上端側がフック部１０の遊端部１０ｂと反対側に動くのを抑えるストッパーＳを装設することを特徴とする請求項１または請求項２記載の係止装置付きの物干用のハンガー。
【発明の詳細な説明】
【０００１】
【発明が属する技術分野】
本発明は、洗濯した衣服類を懸架したハンガーを、物干場に設けた物干竿または物干綱に引き掛けて吊り下げたときに、洗濯物が風であおられても、ハンガーが物干竿または物干綱から外れて飛ばされることのないように、ハンガーを物干竿または物干綱に対し係止せしめる係止装置付きの物干用のハンガーに関する。
【０００２】
【従来の技術】
洗濯物を懸架したハンガーを物干竿に引き掛けたとき、そのハンガーが物干竿に係着した状態に対し動かないように係止させる手段としては、例えば特許第２９４９０６号の公報にある手段がある。
【０００３】
この手段は、図１に示すように、ハンガー１の主体部１１の頂部に設けたフック部１０に、上下に並列する二本の腕杆２０・２１が一端側において連結し他端側において上下に開放する略横向きのＶ字形をなす形状に形成した係止腕２を、それの要となる二本の腕杆２０・２１の閉じ合わされた側に設ける連結軸３により、上下に回動するように連結して、その係止腕２が、常態において、自重により、図２にあるようにそのフック部１０の正面視において、上位側の腕杆２０がフック部１０の内周側の空間を横切り下位側の腕杆２１がフック部１０に沿う下向きのＶ字形をなす姿勢を保持するようにしておき、このハンガー１のフック部１０を物干竿Ｐに掛けることで、物干竿Ｐが図２において鎖線に示しているように、Ｖ字形の係止腕２に嵌入して、その係止腕２がハンガー１およびそれに懸架した洗濯物の重量により、上位側の腕杆２０を押し上げるよう、連結軸３中心に図において時計回りに回動し、それにより、図３にあるように、下位側の腕杆２１と上位側の腕杆２０とで抱き込んだ物干竿Ｐを、Ｖ字形に係止腕２を成形している合成樹脂材または金属材が具備する弾性により、物干竿Ｐをフック部１０の内周側に向けて押し出し、その物干竿Ｐをフック部１０の内周面に圧接させて、ハンガー１を物干竿Ｐに対し、それの長手方向に動かないよう係着させる手段である。
【０００４】
また、ハンガー１を物干綱Ｒに対して係止せしめる手段としては、物干綱Ｒを図４にあるように、ハンガー１のフック部１０を通す目穴ｒを作っておき、そこに、フック部１０を通して吊り下げることで、この目穴ｒにより物干綱Ｒに対しそれの長手方向に動かないよう係止する手段が知られている。
【０００５】
【発明が解決しようとする課題】
洗濯物を掛けたハンガーを、物干竿または物干綱に引き掛けて吊り下げたときに、洗濯物が風であおられても飛ばされることのないように、ハンガーを物干竿または物干綱に係止せしめる手段は、従前のものにあっては、ハンガーのフック部を物干竿に対し係止せしめる手段と、物干綱に係止せしめる手段とが、それぞれ別で、物干竿と物干綱との両方を使う場合は、物干竿用の係止手段を具備するハンガーと物干綱用の係止手段を具備するハンガーとを用意しなければならず、また、物干竿か物干綱かの一方を使う場合にも、適応するハンガーを用意しなければならない厄介な問題がある。
【０００６】
本発明は、この問題を解消せしめるためになされたものであって、ハンガーのフック部に、物干竿に対しての係着と、物干綱に対しての係着とが、随時、所望に選択して行える係止手段を装備せしめることを目的とするものである。
【０００７】
【課題を解決するための手段】
そして、本発明においては、上述の目的を達成するための手段として、請求項１に記載したように、下向きのかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して、そのアーム４とフック部１０の遊端部１０ｂの内周面との間が通常の物干竿Ｐの外径よりも少し狭くなるように配位し、そのアーム４の下端側をフック部１０の基端部に固定し、上端側をフック部１０の上周縁部の上方に突出させ、フック部１０には、それの上周縁部に、そのフック部１０の内周面に連続して外周側に突出する凹部Ａを、それの内周面で、前記フック部１０の遊端部１０ｂによる側の内周面が、前記アーム４の前述遊端部１０ｂに向かう側面に対し近接する位置を占めるように配位して装設することを特徴とする係止装置付きの物干用のハンガーを提起するものである。
【０００８】
また、これに併せて、請求項２に記載したように、下向きの彎曲するかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし腕杆状のアーム４を、弾性を具備する素材により成形して、そのアーム４とフック部１０の遊端部１０ｂの内周面との間が通常の物干竿Ｐの外径よりも少し狭くなるように配位し、そのアーム４の下端側をフック部１０の基端部１０ａに固定し、上端側をフック部１０の上周縁側の上方に突出させるとともに、その突出部に、フック部１０の上周面に沿いそのフック部１０の遊端部１０ｂに向け屈曲して延出する誘導部４１を装設し、フック部１０には、それの上周縁部に、内周側に嵌入する凹部Ａを、前記アーム４の前述遊端部１０ｂに向かう側面に対し近接する位置を占めるように配位して装設することを特徴とする係止装置付きの物干用のハンガーを提起するものである。
【０００９】
【発明の実施の形態】
次に実施の態様を説明する。
本発明手段による係止装置付きの物干用のハンガー１は、それのハンガー自体の基本的な形態については、洗濯した衣服類を懸架する主体部１１と、下向きの彎曲するかぎ状に成形して主体部１１の頂部から立ち上がるように設けるフック部１０とにより、通常のハンガーと同様に形成する。
【００１０】
このとき、それの主体部１１は、図５に示しているように、通常の衣服を掛けるハンガーの主体部と同様の形状に作ってよく、また、靴下等の小物の洗濯物を吊り下げる多数のクリップ付きのものとするなど適宜の形状・構造のものに形成してよい。
【００１１】
また、ハンガー１の主体部１１の頂部に、そこから立ち上がるように設けるフック部１０は、下向きの弧状に彎曲するかぎ状に成形すること、および、このフック部１０を主体部１１とは別体に形成してそれの基端側を主体部１１の頂部に接続することで、主体部１１の頂部から立ち上がるようにその頂部に装設するか、主体部１１を成形する素材により一体に連続させた形態のものとして装設することについては、従前の通常のハンガーのフック部と同様に形成してよい。
【００１２】
そして、このハンガー１の主体部１１およびフック部１０の成形は、図５に示す実施例の如く、プラスチック材からの成型により行うか、図６に示している実施例のように、鋼線等の針金状の金属線材の屈曲成形により行うなど、従前のハンガーと同様に適宜の素材を用いて成形してよい。
【００１３】
しかして、このように形成するハンガー１には、それのフック部１０の近接位置に、そのフック部１０の正面視において、そのフック部１０により囲い込まれる内周側の空間を左右に二分するように仕切る線状ないし杆状に成形したアーム４を図７にあるように配位し、それの下端側を、フック部１０の基端部に固定して支持せしめ、上端側をフック部１０の上周面側に突出させるようにする。
【００１４】
このアーム４は、弾性を具備する素材により弾性的に撓曲する形態のものに形成する。
【００１５】
線状に成形する場合にあっては、バネ性を具備する金属線材を用い、それを所定長さに切断して屈曲成形することで形成する。
【００１６】
このとき、アーム４を例えば鋼線等のバネ材となる金属線材を用いて成形する場合にあっては、その線材を、図８にあるようにヘアーピン状に屈曲成形して、二条の線材４０・４０が上端側において連結して狭い間隔で並列する形状のアーム４に形成し、それを、二条の線材４０・４０を連結する上端側のつなぎ部がフック部１０の上周面側に突出し、並列する一対の線材のそれぞれがフック部１０の前面側と後面側とに位置する状態に配位し、それら線材４０・４０の各下端側を、前述の図５にあるようにフック部１０の基端部１０ａに予め成形しておく嵌合穴１００・１００に差し込み嵌合することで、フック部１０に対し固定状態に設けるようにすることが実際的である。
【００１７】
金属線材でアーム４を成形する場合、ヘアーピン状に成形したアーム４は、それの一対に対向する線材４０・４０のうちの一方の下端側を、図７に示している実施例のように、フック部１０の基端部１０ａの周面に巻き付けて固定し、他方の線材４０にあっては、同図７にあるように、フック部１０の内周側の空間内において下端側を切り離して、他方の線材４０に沿わせそこにゴムキャップ５を装着した形態のものとしてよい。
【００１８】
また、アーム４を金属線材で成形する際、ハンガー１を金属線材により成形する場合にあっては、そのハンガー１を成形する金属線材を、フック部１０と主体部１１とを成形するための長さよりも、アーム４を成形するための長さ分だけ長く切断しておいて、その金属線材の長手方向の中間部で主体部１１を成形し、一方の端部側でフック部１０を成形しておいて、他方の端部側を、図６にある実施例のように、フック部１０の内周側の空間を左右に二分する位置において、そのフック部１０の前面側または後面側に沿い立ち上げるように成形し、次いで、その上端側をフック部１０の上周面側を上方に越した位置において前後の反対側の面に向けヘアーピン状に屈曲し、遊端を切り離してゴムキャップ５を嵌めることで、このハンガー１を成形する金属線材の他方の端部によりアーム４を成形して、フック部１０に連結支持せしめた状態となるようにしてよい。
【００１９】
アーム４を弾性に具備する合成樹脂材を用いて成形する場合にあっては、図９にあるように、上下に長い短冊型の枠体状に成形し、これを、図１０および図１１にあるように、フック部１０に組み合わせ、それの下端側に形設しておく取付部４ａを、フック部１０の基端部１０ａに予め形設しておく嵌合穴または嵌合突起に嵌合することで、フック部１０に組み付ける。
【００２０】
このとき、アーム４をフック部１０と一体に連続させて合成樹脂材により成形する場合には、アーム４の下端側の取付部４ａは、フック部１０に対する連結部乃至つなぎ部となるようにする。
【００２１】
このように、フック部１０の近傍位置にフック部１０の内周側の空間を左右に二分するように配設するアーム４は、それの左右の側面のうちの、フック部１０の遊端部１０ｂに対面する側の側面が、その遊端部１０ｂの内周面から、通常使用される外径が約３１ミリのアルミの物干竿Ｐの外径寸法よりも幾分短い距離Ｄをおいた位置を占めるように配位して装設し、これにより、ハンガー１のフック部１０を物干竿Ｐに引き掛けたときに、その物干竿Ｐがフック部１０の遊端部１０ｂの内周面とアーム４との間に嵌入することで、アーム４が物干竿Ｐに押されて弾性により図１０において鎖線に示しているように撓曲し、それの復元力で物干竿Ｐをアーム４とフック部１０の遊端部１０ｂの内周面との間に係着させていくようにする。
【００２２】
このとき、アーム４の撓曲による弾性の復元力にアーム自体の弾性も利用するようにするため、アーム４の上端側が、フック部１０の遊端部１０ｂに対し反対側に動く作動を阻止するストッパーＳを、フック部１０の周面に設けておく場合がある。このストッパーＳは、アーム４を合成樹脂材により成形するときには有効であり、合成樹脂材よりなるアーム４の弾性による撓曲の復元力を強力に利用し得るようになる。
【００２３】
しかして、フック部１０には、それの上周側に、そのフック部１０の内周面に連続して外周側に嵌入する凹部Ａを形設する。
【００２４】
この凹部Ａは、ハンガー１のフック部１０を物干綱（または物干紐）Ｒに引き掛けたときに、その物干綱Ｒを図１２にあるように該凹部Ａ内に導入して、それを前述のアーム４により弾性的に凹部Ａの内周面のうちのフック部１０の遊端部１０ｂに寄る側に位置する内周面ａに押し潰すように圧着せしめて、フック部１０に対し物干綱Ｒを係着状態とするためのもので、常態において、図１０にあるように、フック部１０の基端部１０ａから立ち上がるアーム４の上端側の部位よりも、フック部１０の遊端部１０ｂと反対側に少し越した部位を占める位置に装設する。
【００２５】
そして、これにより、フック部１０の内周側に嵌入した物干綱Ｒが、アーム４の側面にガイドされて、そのアーム４を弾性的に撓曲させながら凹部Ａ内に嵌入していくことで、図１２にあるように、凹部Ａの内周面のうちの、前述のフック部１０の遊端部１０ｂに寄る位置において立ち上がる内周面ａとアーム４とにより挟持された状態となって、フック部１０に係着した状態となるように作用する。
【００２６】
このことから、このフック部１０の上周縁側に装設する凹部Ａは、それの内周面のうちのフック部１０の遊端部１０ｂに寄る内周面ａが、アーム４の側面にガイドされて該凹部Ａ内に嵌入してくる物干綱Ｒを抱え込むようになっていればよく、凹部Ａそれ自体の形状は適宜に形成してよい。
【００２７】
次に図１４は、別の実施例を示している。
この例は、物干竿Ｐに対しては、フック部１０にそれの内周側を左右に二分するように装設するアーム４とフック部１０の遊端部１０ｂの内周面とで、フック部１０の内周側に嵌入してくる物干竿Ｐを係着状態に保持せしめるが、物干綱Ｒに対しては、フック部１０の外周面とアーム４の上端側とで係着状態に保持するようにしている例である。
【００２８】
このため、この例においては、フック部１０に装設するアーム４には、それのフック部１０の上周縁側より上方に突出する上端部に、フック部１０の遊端部１０ｂに向け屈曲して延出する誘導部４１を装設し、それの突出端と遊端部１０ｂとの間に物干綱Ｒを導入する導入口Ｂを形成するようにする。
【００２９】
そして、フック部１０の上周縁には、このアーム４の上端側の誘導部４１のコーナー部４２と対応する部位に、フック部１０の内周側に嵌入するよう凹部Ａを形成し、その凹部Ａと前述のアーム４に誘導部４１により形成したコーナー部４２とが対向して、導入口Ｂからフック部１０の上周縁の外面側の周面に沿い導入されてきた物干綱Ｒをここに抱き込み、アーム４の弾性により物干綱Ｒをフック部１０に係着させるようにしている。
【００３０】
次に図１５は、前述の図１４の実施例の変形例を示している。
この例は、前述の図１４の実施例におけるフック部１０が、前後に２連に並列して前後の巾方向の中間に開裂を具備する形態に成形され、それの開裂の内部に、一条に形成したアーム４が位置するようになっているのに対し、フック部１０が一条でアーム４が前後に２連に並列する形状の枠状に形成されている形態となっている例のものである。
【００３１】
この例においても、物干綱Ｒは、アーム４の上端側に設けた誘導部４１の突出端とフック部１０の上周面との間に形成される導入口Ｂから導入する物干綱Ｒが、アーム４のコーナー部４２とフック部１０の外周面側の凹部Ａとに抱き込まれて、アーム４の弾性により挟持され、係着状態に保持される。
【００３２】
図１６は、さらに異なる実施例を示す。この例はフック部１０の内周面で、遊端部１０ｂと対向する側には、そのフック部１０の内周側の空間内に物干竿Ｐを嵌入させたときにその物干竿Ｐの下周面の一部に接触するようになる支え部ｗを設けている例であり、その余の構成は、前述の図１０〜図１３に示している例と変わりがない。この実施例における支え部ｗは、フック部１０の内周側に嵌入させた物干竿Ｐを、アーム４の弾性によりフック部１０の内周面に抱き込ますようにしたときに、その物干竿Ｐがかぎ状のフック部１０の開放側に脱出していくようになるのを阻止するようにするためのものであり、フック部１０の遊端部１０ｂの内周面の形状が、フック部１０内に嵌入してアーム４の弾性により遊端部１０ｂの内周面に向け押圧される物干竿Ｐを抱き込むよう形成してあるときは、省略してもよいものである。
【００３３】
また、この実施例では、フック部１０の上周縁部の前後の側面に、下端側をフック部１０の基端部１０ａ固定してフック部１０に装設したアーム４の上端側の左右の動きを規制するストッパーＳを、そのアーム４の上端側の、遊端部１０ｂに対面する左面側と遊端部１０ｂと反対側に向かう右面側との両側に、一対に対向するように設けていて、このストッパーＳとストッパーＳとの間をアーム４の上端側が左右に動くようにしてある。
【００３４】
従って、この実施例におけるアーム４は、常態においては、それの上端側が左面側のストッパーＳに当接してその位置に保持され、物干竿Ｐまたは物干綱Ｒがフック部１０内に嵌入していき、それによりアーム４が押圧を受けることで上端側が右面側のストッパーＳに衝合するまでアーム４の全体が撓曲し、この状態から、アーム４の物干竿Ｐまたは物干綱Ｒとの接触部位が局部的に変形していくようになる。
次に図１７および図１８は、さらに別の実施例を示している。
この例は、図９および図１０に示している実施例の変形例であって、枠状に形成したアーム４の下端側を閉じ合わせて枠体に形成し、かつ、そのアーム４の上下の中間部位に、物干竿Ｐを抱き込む彎曲部ｙを形成している例である。
この例におけるアーム４は、フック部１０の右面側から嵌め込んで、取付部４ａ・４ｂを、フック部１０に予め形設しておき嵌合させることでフック部４に組付けるようにしている。
そして、その余の構造は、図９・図１０にある実施例と変わりがない。
【００３５】
【発明の効果】
以上説明したように、本発明手段による洗濯物の物干用のハンガーは、物干竿に引き掛けたときは、その物干竿をアームの弾性によりフック部の遊端部の内周面に押圧して係着状態とし、物干綱に引き掛けたときは、その物干綱をアームの弾性によりフック部の上周縁側に設けた凹部の内周面に押圧して係着状態とするから、一つのハンガーで、物干竿と物干綱との何れにも随時引き掛けて係着状態とし得るようにする。
【図面の簡単な説明】
【図１】従前の係止装置付きの洗濯物の物干用のハンガーの正面図である。
【図２】同上ハンガーを物干竿に引き掛けていく行程途上の正面図である。
【図３】同上ハンガーの物干竿に引き掛けた状態時の正面図である。
【図４】従前の係止手段付きの物干綱にハンガーを引き掛けた状態時の正面図である。
【図５】本発明による係止装置付きの物干用のハンガーの斜視図である。
【図６】同上ハンガーの別の実施例の斜視図である。
【図７】同上ハンガーのさらに別の実施例の要部の斜視図である。
【図８】同上ハンガーに用いるアームの斜視図である。
【図９】同上ハンガーに用いるアームの別の例の斜視図である。
【図１０】同上ハンガーのさらに異なる実施例の要部の正面図である。
【図１１】同上の実施例の右側面図である。
【図１２】同上の実施例の作用を説明する正面図である。
【図１３】同上の実施例の左側面図である。
【図１４】同上の別の実施例の要部の斜視図である。
【図１５】同上のさらに別の実施例の要部の斜視図である。
【図１６】同上のさらに異なる実施例の要部の正面図である。
【図１７】同上のハンガーの別の実施例に用いるアームの変形例の斜視図である。
【図１８】同上のアームを組み付けたハンガーの斜視図である。
【符号の説明】
Ａ…凹部、Ｂ…導入口、Ｄ…距離、Ｐ…物干竿、Ｒ…物干綱、Ｓ…ストッパー、ａ…内周面、ｒ…目穴、ｙ…彎曲部、ｗ…支え部、１…ハンガー、１０…フック部、１０ａ…基端部、１０ｂ…遊端部、１１…主体部、１００…嵌合穴、２…係止腕、２０・２１…腕杆、３…連結軸、４…アーム、４ａ…取付部、４０…線材、４１…誘導部、４２…コーナー部、５…ゴムキャップ。
【図１】
2004065785.tif 000003
【図２】
2004065785.tif 000004
【図３】
2004065785.tif 000005
【図４】
2004065785.tif 000006
【図５】
2004065785.tif 000007
【図６】
2004065785.tif 000008
【図７】
2004065785.tif 000009
【図８】
2004065785.tif 000010
【図９】
2004065785.tif 000011
【図１０】
2004065785.tif 000012
【図１１】
2004065785.tif 000013
【図１２】
2004065785.tif 000014
【図１３】
2004065785.tif 000015
【図１４】
2004065785.tif 000016
【図１５】
2004065785.tif 000017
【図１６】
2004065785.tif 000018
【図１７】
2004065785.tif 000019
【図１８】
2004065785.tif 000020
【手続補正書】
【提出日】平成14年8月22日(2002.8.22)
【手続補正１】
【補正対象書類名】明細書
【補正対象項目名】全文
【補正方法】変更
【補正の内容】
【発明の詳細な説明】
【特許請求の範囲】
【請求項１】下向きの彎曲するかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して、そのアーム４とフック部１０の遊端側の内周面との間が通常の物干竿Ｐの外径よりも少し狭くなるように配位し、そのアーム４の下端側をフック部１０の基端部１０ａに固定し、上端側をフック部１０の上周縁側の上方に突出させ、フック部１０には、それの上周縁部に、そのフック部１０の内周面に連続して外周側に突出する凹部Ａを、それの内周面で前記フック部１０の遊端部１０ｂによる側の内周面ａが、前記アーム４の前述遊端部１０ｂに向かう側面に対し近接する位置を占めるように配位して装設することを特徴とする係止装置付きの物干用のハンガー。
【請求項２】下向きの彎曲するかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して、そのアーム４とフック部１０の遊端部１０ｂの内周面との間が通常の物干竿Ｐの外径よりも少し狭くなるように配位し、そのアーム４の下端側をフック部１０の基端部１０ａに固定し、上端側をフック部１０の上周縁側の上方に突出させるとともに、その突出部に、フック部１０の上周面に沿いそのフック部１０の遊端部１０ｂに向け屈曲して延出する誘導部４１を装設し、フック部１０には、それの上周縁部に、内周側に嵌入する凹部Ａを、前記アーム４の前述遊端部１０ｂに向かう側面に対し近接する位置を占めるように配位して装設することを特徴とする係止装置付きの物干用のハンガー。
【請求項３】ハンガー１のフック部１０と主体部１１とを、所定長さに切断したバネ性を具備する金属線材の一端側と中間部位との屈曲成形により形成し、その金属線材の他端側によりアーム４を成形することを特徴とする請求項１または請求項２記載の係止装置付きの物干用のハンガー。
【請求項４】フック部１０の上周縁部の前後の側面に、下端側をフック部１０の基端部１０ａに固定したアーム４の上端側に衝合してそのアーム４の上端側がフック部１０の遊端部１０ｂと反対側に動くのを抑えるストッパーＳを装設することを特徴とする請求項１または請求項２記載の係止装置付きの物干用のハンガー。
【発明の詳細な説明】
【０００１】
【発明が属する技術分野】
本発明は、洗濯した衣服類を懸架したハンガーを、物干場に設けた物干竿または物干綱に引き掛けて吊り下げたときに、洗濯物が風であおられても、ハンガーが物干竿または物干綱から外れて飛ばされることのないように、ハンガーを物干竿または物干綱に対し係止せしめる係止装置付きの物干用のハンガーに関する。
【０００２】
【従来の技術】
洗濯物を懸架したハンガーを物干竿に引き掛けたとき、そのハンガーが物干竿に係着した状態に対し動かないように係止させる手段としては、例えば特許第２９４９０６号の公報にある手段がある。
【０００３】
この手段は、図１に示すように、ハンガー１の主体部１１の頂部に設けたフック部１０に、上下に並列する二本の腕杆２０・２１が一端側において連結し他端側において上下に開放する略横向きのＶ字形をなす形状に形成した係止腕２を、それの要となる二本の腕杆２０・２１の閉じ合わされた側に設ける連結軸３により、上下に回動するように連結して、その係止腕２が、常態において、自重により、図２にあるようにそのフック部１０の正面視において、上位側の腕杆２０がフック部１０の内周側の空間を横切り下位側の腕杆２１がフック部１０に沿う下向きのＶ字形をなす姿勢を保持するようにしておき、このハンガー１のフック部１０を物干竿Ｐに掛けることで、物干竿Ｐが図２において鎖線に示しているように、Ｖ字形の係止腕２に嵌入して、その係止腕２がハンガー１およびそれに懸架した洗濯物の重量により、上位側の腕杆２０を押し上げるよう、連結軸３中心に図において時計回りに回動し、それにより、図３にあるように、下位側の腕杆２１と上位側の腕杆２０とで抱き込んだ物干竿Ｐを、Ｖ字形に係止腕２を成形している合成樹脂材または金属材が具備する弾性により、物干竿Ｐをフック部１０の内周側に向けて押し出し、その物干竿Ｐをフック部１０の内周面に圧接させて、ハンガー１を物干竿Ｐに対し、それの長手方向に動かないよう係着させる手段である。
【０００４】
また、ハンガー１を物干綱Ｒに対して係止せしめる手段としては、物干綱Ｒを図４にあるように、ハンガー１のフック部１０を通す目穴ｒを作っておき、そこに、フック部１０を通して吊り下げることで、この目穴ｒにより物干綱Ｒに対しそれの長手方向に動かないよう係止する手段が知られている。
【０００５】
【発明が解決しようとする課題】
洗濯物を掛けたハンガーを、物干竿または物干綱に引き掛けて吊り下げたときに、洗濯物が風であおられても飛ばされることのないように、ハンガーを物干竿または物干綱に係止せしめる手段は、従前のものにあっては、ハンガーのフック部を物干竿に対し係止せしめる手段と、物干綱に係止せしめる手段とが、それぞれ別で、物干竿と物干綱との両方を使う場合は、物干竿用の係止手段を具備するハンガーと物干綱用の係止手段を具備するハンガーとを用意しなければならず、また、物干竿か物干綱かの一方を使う場合にも、適応するハンガーを用意しなければならない厄介な問題がある。
【０００６】
本発明は、この問題を解消せしめるためになされたものであって、ハンガーのフック部に、物干竿に対しての係着と、物干綱に対しての係着とが、随時、所望に選択して行える係止手段を装備せしめることを目的とするものである。
【０００７】
【課題を解決するための手段】
そして、本発明においては、上述の目的を達成するための手段として、請求項１に記載したように、下向きのかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して、そのアーム４とフック部１０の遊端部１０ｂの内周面との間が通常の物干竿Ｐの外径よりも少し狭くなるように配位し、そのアーム４の下端側をフック部１０の基端部に固定し、上端側をフック部１０の上周縁部の上方に突出させ、フック部１０には、それの上周縁部に、そのフック部１０の内周面に連続して外周側に突出する凹部Ａを、それの内周面で、前記フック部１０の遊端部１０ｂによる側の内周面が、前記アーム４の前述遊端部１０ｂに向かう側面に対し近接する位置を占めるように配位して装設することを特徴とする係止装置付きの物干用のハンガーを提起するものである。
【０００８】
また、これに併せて、請求項２に記載したように、下向きの彎曲するかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし腕杆状のアーム４を、弾性を具備する素材により成形して、そのアーム４とフック部１０の遊端部１０ｂの内周面との間が通常の物干竿Ｐの外径よりも少し狭くなるように配位し、そのアーム４の下端側をフック部１０の基端部１０ａに固定し、上端側をフック部１０の上周縁側の上方に突出させるとともに、その突出部に、フック部１０の上周面に沿いそのフック部１０の遊端部１０ｂに向け屈曲して延出する誘導部４１を装設し、フック部１０には、それの上周縁部に、内周側に嵌入する凹部Ａを、前記アーム４の前述遊端部１０ｂに向かう側面に対し近接する位置を占めるように配位して装設することを特徴とする係止装置付きの物干用のハンガーを提起するものである。
【０００９】
【発明の実施の形態】
次に実施の態様を説明する。
本発明手段による係止装置付きの物干用のハンガー１は、それのハンガー自体の基本的な形態については、洗濯した衣服類を懸架する主体部１１と、下向きの彎曲するかぎ状に成形して主体部１１の頂部から立ち上がるように設けるフック部１０とにより、通常のハンガーと同様に形成する。
【００１０】
このとき、それの主体部１１は、図５に示しているように、通常の衣服を掛けるハンガーの主体部と同様の形状に作ってよく、また、靴下等の小物の洗濯物を吊り下げる多数のクリップ付きのものとするなど適宜の形状・構造のものに形成してよい。
【００１１】
また、ハンガー１の主体部１１の頂部に、そこから立ち上がるように設けるフック部１０は、下向きの弧状に彎曲するかぎ状に成形すること、および、このフック部１０を主体部１１とは別体に形成してそれの基端側を主体部１１の頂部に接続することで、主体部１１の頂部から立ち上がるようにその頂部に装設するか、主体部１１を成形する素材により一体に連続させた形態のものとして装設することについては、従前の通常のハンガーのフック部と同様に形成してよい。
【００１２】
そして、このハンガー１の主体部１１およびフック部１０の成形は、図５に示す実施例の如く、プラスチック材からの成型により行うか、図６に示している実施例のように、鋼線等の針金状の金属線材の屈曲成形により行うなど、従前のハンガーと同様に適宜の素材を用いて成形してよい。
【００１３】
しかして、このように形成するハンガー１には、それのフック部１０の近接位置に、そのフック部１０の正面視において、そのフック部１０により囲い込まれる内周側の空間を左右に二分するように仕切る線状ないし杆状に成形したアーム４を図７にあるように配位し、それの下端側を、フック部１０の基端部に固定して支持せしめ、上端側をフック部１０の上周面側に突出させるようにする。
【００１４】
このアーム４は、弾性を具備する素材により弾性的に撓曲する形態のものに形成する。
【００１５】
線状に成形する場合にあっては、バネ性を具備する金属線材を用い、それを所定長さに切断して屈曲成形することで形成する。
【００１６】
このとき、アーム４を例えば鋼線等のバネ材となる金属線材を用いて成形する場合にあっては、その線材を、図８にあるようにヘアーピン状に屈曲成形して、二条の線材４０・４０が上端側において連結して狭い間隔で並列する形状のアーム４に形成し、それを、二条の線材４０・４０を連結する上端側のつなぎ部がフック部１０の上周面側に突出し、並列する一対の線材のそれぞれがフック部１０の前面側と後面側とに位置する状態に配位し、それら線材４０・４０の各下端側を、前述の図５にあるようにフック部１０の基端部１０ａに予め成形しておく嵌合穴１００・１００に差し込み嵌合することで、フック部１０に対し固定状態に設けるようにすることが実際的である。
【００１７】
金属線材でアーム４を成形する場合、ヘアーピン状に成形したアーム４は、それの一対に対向する線材４０・４０のうちの一方の下端側を、図７に示している実施例のように、フック部１０の基端部１０ａの周面に巻き付けて固定し、他方の線材４０にあっては、同図７にあるように、フック部１０の内周側の空間内において下端側を切り離して、他方の線材４０に沿わせそこにゴムキャップ５を装着した形態のものとしてよい。
【００１８】
また、アーム４を金属線材で成形する際、ハンガー１を金属線材により成形する場合にあっては、そのハンガー１を成形する金属線材を、フック部１０と主体部１１とを成形するための長さよりも、アーム４を成形するための長さ分だけ長く切断しておいて、その金属線材の長手方向の中間部で主体部１１を成形し、一方の端部側でフック部１０を成形しておいて、他方の端部側を、図６にある実施例のように、フック部１０の内周側の空間を左右に二分する位置において、そのフック部１０の前面側または後面側に沿い立ち上げるように成形し、次いで、その上端側をフック部１０の上周面側を上方に越した位置において前後の反対側の面に向けヘアーピン状に屈曲し、遊端を切り離してゴムキャップ５を嵌めることで、このハンガー１を成形する金属線材の他方の端部によりアーム４を成形して、フック部１０に連結支持せしめた状態となるようにしてよい。
【００１９】
アーム４を弾性に具備する合成樹脂材を用いて成形する場合にあっては、図９にあるように、上下に長い短冊型の枠体状に成形し、これを、図１０および図１１にあるように、フック部１０に組み合わせ、それの下端側に形設しておく取付部４ａを、フック部１０の基端部１０ａに予め形設しておく嵌合穴または嵌合突起に嵌合することで、フック部１０に組み付ける。
【００２０】
このとき、アーム４をフック部１０と一体に連続させて合成樹脂材により成形する場合には、アーム４の下端側の取付部４ａは、フック部１０に対する連結部乃至つなぎ部となるようにする。
【００２１】
このように、フック部１０の近傍位置にフック部１０の内周側の空間を左右に二分するように配設するアーム４は、それの左右の側面のうちの、フック部１０の遊端部１０ｂに対面する側の側面が、その遊端部１０ｂの内周面から、通常使用される外径が約３１ミリのアルミの物干竿Ｐの外径寸法よりも幾分短い距離Ｄをおいた位置を占めるように配位して装設し、これにより、ハンガー１のフック部１０を物干竿Ｐに引き掛けたときに、その物干竿Ｐがフック部１０の遊端部１０ｂの内周面とアーム４との間に嵌入することで、アーム４が物干竿Ｐに押されて弾性により図１０において鎖線に示しているように撓曲し、それの復元力で物干竿Ｐをアーム４とフック部１０の遊端部１０ｂの内周面との間に係着させていくようにする。
【００２２】
このとき、アーム４の撓曲による弾性の復元力にアーム自体の弾性も利用するようにするため、アーム４の上端側が、フック部１０の遊端部１０ｂに対し反対側に動く作動を阻止するストッパーＳを、フック部１０の周面に設けておく場合がある。このストッパーＳは、アーム４を合成樹脂材により成形するときには有効であり、合成樹脂材よりなるアーム４の弾性による撓曲の復元力を強力に利用し得るようになる。
【００２３】
しかして、フック部１０には、それの上周側に、そのフック部１０の内周面に連続して外周側に嵌入する凹部Ａを形設する。
【００２４】
この凹部Ａは、ハンガー１のフック部１０を物干綱（または物干紐）Ｒに引き掛けたときに、その物干綱Ｒを図１２にあるように該凹部Ａ内に導入して、それを前述のアーム４により弾性的に凹部Ａの内周面のうちのフック部１０の遊端部１０ｂに寄る側に位置する内周面ａに押し潰すように圧着せしめて、フック部１０に対し物干綱Ｒを係着状態とするためのもので、常態において、図１０にあるように、フック部１０の基端部１０ａから立ち上がるアーム４の上端側の部位よりも、フック部１０の遊端部１０ｂと反対側に少し越した部位を占める位置に装設する。
【００２５】
そして、これにより、フック部１０の内周側に嵌入した物干綱Ｒが、アーム４の側面にガイドされて、そのアーム４を弾性的に撓曲させながら凹部Ａ内に嵌入していくことで、図１２にあるように、凹部Ａの内周面のうちの、前述のフック部１０の遊端部１０ｂに寄る位置において立ち上がる内周面ａとアーム４とにより挟持された状態となって、フック部１０に係着した状態となるように作用する。
【００２６】
このことから、このフック部１０の上周縁側に装設する凹部Ａは、それの内周面のうちのフック部１０の遊端部１０ｂに寄る内周面ａが、アーム４の側面にガイドされて該凹部Ａ内に嵌入してくる物干綱Ｒを抱え込むようになっていればよく、凹部Ａそれ自体の形状は適宜に形成してよい。
【００２７】
次に図１４は、別の実施例を示している。
この例は、物干竿Ｐに対しては、フック部１０にそれの内周側を左右に二分するように装設するアーム４とフック部１０の遊端部１０ｂの内周面とで、フック部１０の内周側に嵌入してくる物干竿Ｐを係着状態に保持せしめるが、物干綱Ｒに対しては、フック部１０の外周面とアーム４の上端側とで係着状態に保持するようにしている例である。
【００２８】
このため、この例においては、フック部１０に装設するアーム４には、それのフック部１０の上周縁側より上方に突出する上端部に、フック部１０の遊端部１０ｂに向け屈曲して延出する誘導部４１を装設し、それの突出端と遊端部１０ｂとの間に物干綱Ｒを導入する導入口Ｂを形成するようにする。
【００２９】
そして、フック部１０の上周縁には、このアーム４の上端側の誘導部４１のコーナー部４２と対応する部位に、フック部１０の内周側に嵌入するよう凹部Ａを形成し、その凹部Ａと前述のアーム４に誘導部４１により形成したコーナー部４２とが対向して、導入口Ｂからフック部１０の上周縁の外面側の周面に沿い導入されてきた物干綱Ｒをここに抱き込み、アーム４の弾性により物干綱Ｒをフック部１０に係着させるようにしている。
【００３０】
次に図１５は、前述の図１４の実施例の変形例を示している。
この例は、前述の図１４の実施例におけるフック部１０が、前後に２連に並列して前後の巾方向の中間に開裂を具備する形態に成形され、それの開裂の内部に、一条に形成したアーム４が位置するようになっているのに対し、フック部１０が一条でアーム４が前後に２連に並列する形状の枠状に形成されている形態となっている例のものである。
【００３１】
この例においても、物干綱Ｒは、アーム４の上端側に設けた誘導部４１の突出端とフック部１０の上周面との間に形成される導入口Ｂから導入する物干綱Ｒが、アーム４のコーナー部４２とフック部１０の外周面側の凹部Ａとに抱き込まれて、アーム４の弾性により挟持され、係着状態に保持される。
【００３２】
図１６は、さらに異なる実施例を示す。この例はフック部１０の内周面で、遊端部１０ｂと対向する側には、そのフック部１０の内周側の空間内に物干竿Ｐを嵌入させたときにその物干竿Ｐの下周面の一部に接触するようになる支え部ｗを設けている例であり、その余の構成は、前述の図１０〜図１３に示している例と変わりがない。この実施例における支え部ｗは、フック部１０の内周側に嵌入させた物干竿Ｐを、アーム４の弾性によりフック部１０の内周面に抱き込ますようにしたときに、その物干竿Ｐがかぎ状のフック部１０の開放側に脱出していくようになるのを阻止するようにするためのものであり、フック部１０の遊端部１０ｂの内周面の形状が、フック部１０内に嵌入してアーム４の弾性により遊端部１０ｂの内周面に向け押圧される物干竿Ｐを抱き込むよう形成してあるときは、省略してもよいものである。
【００３３】
また、この実施例では、フック部１０の上周縁部の前後の側面に、下端側をフック部１０の基端部１０ａ固定してフック部１０に装設したアーム４の上端側の左右の動きを規制するストッパーＳを、そのアーム４の上端側の、遊端部１０ｂに対面する左面側と遊端部１０ｂと反対側に向かう右面側との両側に、一対に対向するように設けていて、このストッパーＳとストッパーＳとの間をアーム４の上端側が左右に動くようにしてある。
【００３４】
従って、この実施例におけるアーム４は、常態においては、それの上端側が左面側のストッパーＳに当接してその位置に保持され、物干竿Ｐまたは物干綱Ｒがフック部１０内に嵌入していき、それによりアーム４が押圧を受けることで上端側が右面側のストッパーＳに衝合するまでアーム４の全体が撓曲し、この状態から、アーム４の物干竿Ｐまたは物干綱Ｒとの接触部位が局部的に変形していくようになる。
【００３５】
次に図１７および図１８は、さらに別の実施例を示している。
この例は、図９および図１０に示している実施例の変形例であって、枠状に形成したアーム４の下端側を閉じ合わせて枠体に形成し、かつ、そのアーム４の上下の中間部位に、物干竿Ｐを抱き込む彎曲部ｙを形成している例である。
【００３６】
この例におけるアーム４は、フック部１０の右面側から嵌め込んで、取付部４ａ・４ｂを、フック部１０に予め形設しておき嵌合させることでフック部４に組付けるようにしている。
【００３７】
そして、その余の構造は、図９・図１０にある実施例と変わりがない。
【００３８】
【発明の効果】
以上説明したように、本発明手段による洗濯物の物干用のハンガーは、物干竿に引き掛けたときは、その物干竿をアームの弾性によりフック部の遊端部の内周面に押圧して係着状態とし、物干綱に引き掛けたときは、その物干綱をアームの弾性によりフック部の上周縁側に設けた凹部の内周面に押圧して係着状態とするから、一つのハンガーで、物干竿と物干綱との何れにも随時引き掛けて係着状態とし得るようにする。
【図面の簡単な説明】
【図１】従前の係止装置付きの洗濯物の物干用のハンガーの正面図である。
【図２】同上ハンガーを物干竿に引き掛けていく行程途上の正面図である。
【図３】同上ハンガーの物干竿に引き掛けた状態時の正面図である。
【図４】従前の係止手段付きの物干綱にハンガーを引き掛けた状態時の正面図である。
【図５】本発明による係止装置付きの物干用のハンガーの斜視図である。
【図６】同上ハンガーの別の実施例の斜視図である。
【図７】同上ハンガーのさらに別の実施例の要部の斜視図である。
【図８】同上ハンガーに用いるアームの斜視図である。
【図９】同上ハンガーに用いるアームの別の例の斜視図である。
【図１０】同上ハンガーのさらに異なる実施例の要部の正面図である。
【図１１】同上の実施例の右側面図である。
【図１２】同上の実施例の作用を説明する正面図である。
【図１３】同上の実施例の左側面図である。
【図１４】同上の別の実施例の要部の斜視図である。
【図１５】同上のさらに別の実施例の要部の斜視図である。
【図１６】同上のさらに異なる実施例の要部の正面図である。
【図１７】同上のハンガーの別の実施例に用いるアームの変形例の斜視図である。
【図１８】同上のアームを組み付けたハンガーの斜視図である。
【符号の説明】
Ａ…凹部、Ｂ…導入口、Ｄ…距離、Ｐ…物干竿、Ｒ…物干綱、Ｓ…ストッパー、ａ…内周面、ｒ…目穴、ｙ…彎曲部、ｗ…支え部、１…ハンガー、１０…フック部、１０ａ…基端部、１０ｂ…遊端部、１１…主体部、１００…嵌合穴、２…係止腕、２０・２１…腕杆、３…連結軸、４…アーム、４ａ…取付部、４０…線材、４１…誘導部、４２…コーナー部、５…ゴムキャップ。
【手続補正書】
【提出日】平成14年11月1日(2002.11.1)
【手続補正１】
【補正対象書類名】明細書
【補正対象項目名】特許請求の範囲
【補正方法】変更
【補正の内容】
【特許請求の範囲】
【請求項１】
下向きの彎曲するかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して、そのアーム４とフック部１０の遊端側の内周面との間が通常の物干竿Ｐの外径よりも少し狭くなるように配位し、そのアーム４の下端側をフック部１０の基端部１０ａに固定し、上端側をフック部１０の上周縁側の上方に突出させ、フック部１０には、それの上周縁部に、そのフック部１０の内周面に連続して外周側に嵌入する凹部Ａを、それの内周面で前記フック部１０の遊端部１０ｂによる側の内周面ａが、前記アーム４の前述遊端部１０ｂに向かう側面に対し近接する位置を占めるように配位して装設することを特徴とする係止装置付きの物干用のハンガー。
【請求項２】
下向きの彎曲するかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して、そのアーム４とフック部１０の遊端部１０ｂの内周面との間が通常の物干竿Ｐの外径よりも少し狭くなるように配位し、そのアーム４の下端側をフック部１０の基端部１０ａに固定し、上端側をフック部１０の上周縁側の上方に突出させるとともに、その突出部に、フック部１０の上周面に沿いそのフック部１０の遊端部１０ｂに向け屈曲して延出する誘導部４１を装設し、フック部１０には、それの上周縁部に、外周側に嵌入する凹部Ａを、前記アーム４の前述遊端部１０ｂに向かう側面に対し近接する位置を占めるように配位して装設することを特徴とする係止装置付きの物干用のハンガー。
【請求項３】
ハンガー１のフック部１０と主体部１１とを、所定長さに切断したバネ性を具備する金属線材の一端側と中間部位との屈曲成形により形成し、その金属線材の他端側によりアーム４を成形することを特徴とする請求項１または請求項２記載の係止装置付きの物干用のハンガー。
【請求項４】
フック部１０の上周縁部の前後の側面に、下端側をフック部１０の基端部１０ａに固定したアーム４の上端側に衝合してそのアーム４の上端側がフック部１０の遊端部１０ｂと反対側に動くのを抑えるストッパーＳを装設することを特徴とする請求項１または請求項２記載の係止装置付きの物干用のハンガー。
【手続補正２】
【補正対象書類名】明細書
【補正対象項目名】０００７
【補正方法】変更
【補正の内容】
【０００７】
【課題を解決するための手段】
そして、本発明においては、上述の目的を達成するための手段として、請求項１に記載したように、下向きのかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし杆状のアーム４を、弾性を具備する素材により成形して、そのアーム４とフック部１０の遊端部１０ｂの内周面との間が通常の物干竿Ｐの外径よりも少し狭くなるように配位し、そのアーム４の下端側をフック部１０の基端部に固定し、上端側をフック部１０の上周縁部の上方に突出させ、フック部１０には、それの上周縁部に、そのフック部１０の内周面に連続して外周側に嵌入する凹部Ａを、それの内周面で、前記フック部１０の遊端部１０ｂによる側の内周面が、前記アーム４の前述遊端部１０ｂに向かう側面に対し近接する位置を占めるように配位して装設することを特徴とする係止装置付きの物干用のハンガーを提起するものである。


【手続補正３】
【補正対象書類名】明細書
【補正対象項目名】０００８
【補正方法】変更
【補正の内容】
【０００８】
また、これに併せて、請求項２に記載したように、下向きの彎曲するかぎ状に成形してハンガー１の主体部１１の頂部から立ち上がるように設けるフック部１０の近側位置に、そのフック部１０の正面視において、そのフック部１０により囲われる内周側の空間を左右に二分するように仕切る線状ないし腕杆状のアーム４を、弾性を具備する素材により成形して、そのアーム４とフック部１０の遊端部１０ｂの内周面との間が通常の物干竿Ｐの外径よりも少し狭くなるように配位し、そのアーム４の下端側をフック部１０の基端部１０ａに固定し、上端側をフック部１０の上周縁側の上方に突出させるとともに、その突出部に、フック部１０の上周面に沿いそのフック部１０の遊端部１０ｂに向け屈曲して延出する誘導部４１を装設し、フック部１０には、それの上周縁部に、外周側に嵌入する凹部Ａを、前記アーム４の前述遊端部１０ｂに向かう側面に対し近接する位置を占めるように配位して装設することを特徴とする係止装置付きの物干用のハンガーを提起するものである。